(57)【要約】【課題】射出物の四方に複数個のレンズが成形された射出物のゲートを自動的にカッティングして、レンズを射出物から分離するためのレンズが成形された射出物のゲートカッティング装置を提供する。【解決手段】複数個のレンズが四方に成形された射出物のゲートをカッティングして、レンズが射出物から分離されるようにする下部カッターが具備された下部カッティング装置と、前記下部カッティング装置がスライディングされるようにするスライディング装置と、前記下部カッターと対向するように固定設置されて前記下部カッターと共にゲートをカッティングする上部カッターが具備された上部カッティング装置と、前記上部カッティング装置が昇降されるようにする昇降装置と、前記フレームに設置されて下部カッティング装置、上部カッティング装置、スライディング装置および昇降装置を制御するコントローラーとを含めて構成される。【選択図】図３
2011156768.tif 000002
【特許請求の範囲】
【請求項１】
平らに設けられたベースと
前記ベースの上に設けられたサポーターと
前記ベースの上にスライディングできるように設置された下部ブロックと、前記下部ブロックの上に設置されて、四方に複数個のレンズが一体成形された射出物が上部に置かれるようになった作業ブロックと、前記作業ブロックの四方の周縁にそれぞれ固定設置されて前記射出物のゲートをカッティングして、前記レンズが前記射出物から分離されるようにする下部カッターを具備した下部カッティング装置と
前記下部カッティング装置がスライディングされるように前記ベースの上に設けられたスライディング装置と
前記サポーターに支持されて昇降できるように設置された上部ブロックと、前記下部カッターと対向するように前記上部ブロックの周縁の四方にそれぞれ固定設置されて、前記下部カッターと共に前記ゲートをカッティングする上部カッターを具備した上部カッティング装置と
前記サポーターに設置されて前記上部カッティング装置を昇降させる昇降装置と
前記フレームに設置されて前記下部カッティング装置、前記上部カッティング装置、前記スライディング装置および前記昇降装置を制御するコントローラーとを含むことを特徴とするレンズが成形された射出物のゲートカッティング装置。
【請求項２】
前記昇降装置は、
前記サポーターの上段部に設けられた第１ステッピングモータと
前記第１ステッピングモータによって回転駆動され、前記昇降ブロックと連結されるように設置されて、前記上部カッティング装置を昇降させる第１ボールスクリューと
前記第１ボールスクリューの左右に、前記サポーターおよび前記上部カッティング装置に設置されて、前記上部カッティング装置の昇降を案内する第１ＬＭガイドとを含み、
前記昇降装置は、前記サポーターに昇降できるように設置された昇降ブロックと連動することを特徴とする請求項1記載のレンズが成形された射出物のゲートカッティング装置。
【請求項３】
前記スライディング装置は、
前記ベースと前記下部ブロックの間に設置されて前記下部カッティング装置がスライディングできるように案内する第２ＬＭガイドと
前記ベースの一側に設置されて、前記第2ＬＭガイドと共に前記下部カッティング装置をスライディング作動させる第２ボールスクリューと
前記第２ボールスクリューを回転駆動させるために前記ベースの上に設けられた第２ステッピングモータとを含めて構成されたことを特徴とする請求項1記載のレンズが成形された射出物のゲートカッティング装置。
【請求項４】
前記射出物の四方に成形されたゲートを一度に全てカッティングされるように前記下部カッターは、前記作業ブロックの四方の周縁に４つが設置され、前記上部カッターは、前記上部ブロックの四方に４つが設置されたことを特徴とする請求項1記載のレンズが成形された射出物のゲートカッティング装置。
【請求項５】
前記下部カッターの一側は、前記上部カッターに対応する刃部が形成され、前記下部カッターの他側は、前記作業ブロックに装着されるようにする装着部から構成され、
この時、前記刃部は、一定の深さで引入されるように形成されて前記上部カッターと共に前記ゲートをカッティングするカッティング部と、前記カッティング部の中央と周縁に前記カッティング部より高く突出して外側の周縁がラウンドに形成されて、前記上部カッターが前記下部カッターと接触時、滑りながら下降されるようにするラウンド部から構成されたことを特徴とする請求項1記載のレンズが成形された射出物のゲートカッティング装置。
【請求項６】
前記上部カッターが下降して前記下部カッターと接触時、前記上部カッターが負荷を受けると緩衝されるように緩衝装置が設置されるが、
前記緩衝装置は、
前記上部カッターを固定設置されるようにする上部固定装置の内側ブロックを加圧するストッピングボルトと
前記ストッピングボルトに嵌合されて設けられたスプリングと
前記スプリングを、一定の空間内に設置されるようにして加圧すると同時に前記ストッピングボルトの前端部を支持しながら設けられたスプリングブロックとを含めて構成されたことを特徴とする請求項1記載のレンズが成形された射出物のゲートカッティング装置。
【請求項７】
前記上部カッターの上部に、前記上部ブロックには前記上部カッターの位置を調整するためのカッター調整装置が設置されるが、
前記カッター調整装置は、
前記上部ブロックに設けられたガイドブロックと
前記ガイドブロックの両端に設けられた調整ボルトと
前記調整ボルトに固定された固定ブロックと
前記固定ブロックと前記ガイドブロックの間に設置されて、前記調整ボルトの加圧により位置が調整されるカッターセッティングヒンジ部材とを含めて構成されたことを特徴とする請求項1記載のレンズが成形された射出物のゲートカッティング装置。
【請求項８】
前記下部ブロックの下部には前記下部カッターの上下の高さを調節するための高さ調節装置が設置されるが、
前記高さ調節装置は、前記下部ブロックと前記下部カッターが固定設置されるようにする下部固定装置の間にそれぞれ設けられたボルトおよびナットから構成されたことを特徴とする請求項1記載のレンズが成形された射出物のゲートカッティング装置。
【発明の詳細な説明】
【技術分野】
【０００１】
本発明はレンズが成形された射出物のゲートカッティング装置に関するものであって、より詳しくは射出物の四方に複数個のレンズが成形された射出物のゲートを自動的にカッティングして、レンズを射出物から分離するためのレンズが成形された射出物のゲートカッティング装置に関するものである。
【背景技術】
【０００２】
例えば、ＣＤ（Ｃｏｍｐａｃｔ  Ｄｉｓｋ）やＤＶＤ（Ｄｉｇｉｔａｌ  Ｖｉｄｅｏ  Ｄｉｓｃ）に記録されたデータを読む装置に用いられる光ピックアップレンズの製造方法は、複数個のレンズが一体になった射出物を射出成形（ｉｎｊｅｃｔｉｏｎ  ｍｏｕｌｄｉｎｇ）して、その射出されたレンズの射出物からレンズを切断しながら、切断されたレンズをコーティング用レンズ受納ジグにローディング（ｌｏａｄｉｎｇ）させ、前記レンズ受納ジグに受納されたレンズの両面をコーティング（ｃｏａｔｉｎｇ）する。
【０００３】
このようにコーティングが完了されたレンズを検査して、良品のレンズだけを出荷用トレイ（ｔｒａｙ）に積載するなどの出荷する工程を含めて構成される。
【０００４】
前記のように複数個のレンズが一体になった射出物は、図１に示されているようにランナー（ｒｕｎｎｅｒ）３によって連結された、いくつかのレンズ５が一体成形されたものである。
【０００５】
このような射出物１からレンズ５を自動的にカッティングすることができるレンズカッティング装置（図示せず）は、射出物１のゲート（ｇａｔｅ）２がカッティングされるように射出物１が下部カッターの上部に固定されると、上部カッターが下降して射出物１のゲート２がカッティングされるように備えられている。
【発明の概要】
【発明が解決しようとする課題】
【０００６】
上述したように、このような従来のレンズカッティング装置の上部および下部カッターは、正確に装着するためのセッティングが難しくて、上部および下部カッターの装着位置が正確にセッティングされなければゲート２の正確な位置を切断できず、また、切断されないこともある。
【０００７】
そのために製品の不良が多く発生したし、前記上部および下部カッターの故障原因を提供したこともある。
【０００８】
そして、一般的なカッター構造を有する従来の前記上部および下部カッターは、一定時間の使用後には装着位置が外れて、カッターとしての機能を維持するのが難しかった。この他にもシリンダーを用いたカッティング装置も考案されたが、この装置によってカッティングされた製品の切断面は均一ではないという問題点があった。
【０００９】
このような問題点を解決するために大韓民国特許公報第１０-０６２５８７６号(２００６.０９.１２)が本出願人によって考案されたことがある。
【００１０】
しかし、前記特許登録された装置も図２に示されているように大量生産のためのランナー１２の四方に複数個のレンズ１４が成形された射出物１０の場合、装置の構造上のゲート１３をカッティングすることができなくて適用できず、また、装置の構造が複雑で、製作が難しくて、製作および維持費用が高い問題点がある。
【００１１】
そして、従来の装置は、図１のようにレンズ５の数が少ない射出物１にだけ適用できて、生産性が落ちる問題点がある。
【００１２】
一方、図２の図面符号１１は、スプルー（ｓｐｒｕｅ）を示しているものである。
【００１３】
本発明は、このような問題点を解決するために工夫されたものであって、装置の構造が簡単であり、製造および維持費用が安くてすべての形態の射出物に適用できるので、レンズの生産性の向上を図ったレンズが成形された射出物のゲートカッティング装置を提供することにその目的がある。
【課題を解決するための手段】
【００１４】
本発明の解決しようとする課題は上述と同一であって、次にこの課題を解決するための手段を説明する。
【００１５】
請求項１においては、平らに設けられたベースと、前記ベースの上に設けられたサポーターと、前記ベースの上にスライディングできるように設置された下部ブロックと、前記下部ブロックの上に設置されて、四方に複数個のレンズが一体成形された射出物が上部に置かれるようになった作業ブロックと、前記作業ブロックの四方の周縁にそれぞれ固定設置されて前記射出物のゲートをカッティングして、前記レンズが前記射出物から分離されるようにする下部カッターを具備した下部カッティング装置と、前記下部カッティング装置がスライディングされるように前記ベースの上に設けられたスライディング装置と、前記サポーターに支持されて昇降できるように設置された上部ブロックと、前記下部カッターと対向するように前記上部ブロックの周縁の四方にそれぞれ固定設置されて、前記下部カッターと共に前記ゲートをカッティングする上部カッターを具備した上部カッティング装置と、前記サポーターに設置されて前記上部カッティング装置を昇降させる昇降装置と、前記フレームに設置されて前記下部カッティング装置、前記上部カッティング装置、前記スライディング装置および前記昇降装置を制御するコントローラーから構成される。
【００１６】
請求項２においては、前記昇降装置は、前記サポーターの上段部に設けられた第１ステッピングモータと、前記第１ステッピングモータによって回転駆動され、前記昇降ブロックと連結されるように設置されて、前記上部カッティング装置を昇降させる第１ボールスクリューと、前記第１ボールスクリューの左右に、前記サポーターおよび前記上部カッティング装置に設置されて、前記上部カッティング装置の昇降を案内する第１ＬＭガイドから構成され、前記昇降装置は、前記サポーターに昇降できるように設置された昇降ブロックと連動する。
【００１７】
請求項３においては、前記スライディング装置は、前記ベースと前記下部ブロックの間に設置されて前記下部カッティング装置がスライディングできるように案内する第２ＬＭガイドと、前記ベースの一側に設置されて、前記第2ＬＭガイドと共に前記下部カッティング装置をスライディング作動させる第２ボールスクリューと、前記第２ボールスクリューを回転駆動させるために前記ベースの上に設けられた第２ステッピングモータから構成される。
【００１８】
請求項４においては、前記射出物の四方に成形されたゲートを一度に全てカッティングされるように前記下部カッターは、前記作業ブロックの四方の周縁に４つが設置され、前記上部カッターは、前記上部ブロックの四方に４つが設けられて構成される。
【００１９】
請求項５においては、前記下部カッターの一側は、前記上部カッターに対応する刃部が形成され、前記下部カッターの他側は、前記作業ブロックに装着されるようにする装着部から構成され、この時、前記刃部は、一定の深さで引入されるように形成されて前記上部カッターと共に前記ゲートをカッティングするカッティング部と、前記カッティング部の中央と周縁に前記カッティング部より高く突出して外側の周縁がラウンドに形成されて、前記上部カッターが前記下部カッターと接触時、滑りながら下降されるようにするラウンド部から構成される。
【００２０】
請求項６においては、前記上部カッターが下降して前記下部カッターと接触時、前記上部カッターが負荷を受けると緩衝されるように緩衝装置が設置されるが、前記緩衝装置は、前記上部カッターを固定設置されるようにする上部固定装置の内側ブロックを加圧するストッピングボルトと、前記ストッピングボルトに嵌合されて設けられたスプリングと、前記スプリングを、一定の空間内に設置されるようにして加圧すると同時に前記ストッピングボルトの前端部を支持しながら設けられたスプリングブロックから構成される。
【００２１】
請求項７においては、前記上部カッターの上部に、前記上部ブロックには前記上部カッターの位置を調整するためのカッター調整装置が設置されるが、前記カッター調整装置は、前記上部ブロックに設けられたガイドブロックと、前記ガイドブロックの両端に設けられた調整ボルトと、前記調整ボルトに固定された固定ブロックと、前記固定ブロックと前記ガイドブロックの間に設置されて、前記調整ボルトの加圧により位置が調整されるカッターセッティングヒンジ部材から構成される。
【００２２】
請求項８においては、前記下部ブロックの下部には前記下部カッターの上下の高さを調節するための高さ調節装置が設置されるが、前記高さ調節装置は、前記下部ブロックと前記下部カッターが固定設置されるようにする下部固定装置の間にそれぞれ設けられたボルトおよびナットから構成される。
【発明の効果】
【００２３】
本発明は以下に記載する効果を示す。
【００２４】
請求項１に記載の発明は、射出物のゲートカッティング作業を自動化させることができ、カッターの装着およびセッティングが容易、便利であるので、カッターの装着およびセッティングに応じた作業時間を減らすことができる。
【００２５】
請求項２に記載の発明は、上部カッティング装置を自動的に昇降させることができ、上部カッティング装置を正確な作業位置にセッティングすることができる。
【００２６】
請求項３に記載の発明は、下部カッティング装置を正確な作業位置に移動させることができる。
【００２７】
請求項４に記載の発明は、色々な形態でレンズが成形された射出物に全て適用することができるので、作業互換性を向上させることができる。
【００２８】
請求項５に記載の発明は、下部カッターは、角部がラウンドに形成されたラウンド部と、ゲートをカッティングするためのカッティング部が一定の間隔で順次に形成されているので、ラウンド部に上部カッターが滑りながらゲートをカッティングすることによって、上部カッターおよび下部カッターの位置セッティングが正確に行われなかったり、カッティング中に負荷を受けてゲートがカッティングされなかったり、またはゲートのカッティング位置が変わったりするなどの問題点が発生しない。
【００２９】
請求項６に記載の発明は、緩衝装置によって作業中カッターのセッティング不良が発生しない。また、カッターの破損を防止することができるのでレンズに発生される損傷例えば、スクラッチ（ｓｃｒａｔｃｈ）を防止できると同時に良好な切断面を得ることができる。
【００３０】
請求項７に記載の発明は、カッター調整装置によって簡単に上部カッターの位置調整が可能である。
【００３１】
請求項８に記載の発明は、高さ調節装置のボルトを上下に昇降調整することによって下部カッターを固定する下部固定装置が上下に昇降されて結局、下部カッターの高さが調整されるので下部カッターのセッティングもやさしい。
【図面の簡単な説明】
【００３２】
【図１】複数個のレンズが一体形成された射出物の概略的な斜視図である。
【図２】複数個のレンズが一体形成された射出物の概略的な斜視図である。
【図３】本発明によるレンズが成形された射出物のゲートカッティング装置を概略的に示す構成図である。
【図４】図３の側面図である。
【図５】図３の要部の詳細図である。
【図６】図４の要部の詳細図である。
【図７】図３の下部カッティング装置の平面図である。
【図８】下部カッターの詳細図である。
【図９】図８でＩＶ-ＩＶ線に沿って切開して、示している側断面図である。
【発明を実施するための形態】
【００３３】
次に本発明の望ましい実施例を詳しく説明する。
【００３４】
図３には、本発明によるレンズが成形された射出物のゲートカッティング装置を概略的に示す構成図が示されており、図４には図３の側面図がそれぞれ示されている。
【００３５】
そして、図５および図６には、図３および図４の要部の詳細図がそれぞれ示されている。
【００３６】
また、図７には、図３の下部カッティング装置の平面図が示されている。
【００３７】
これらの図面をそれぞれ参照してみれば、本発明によるレンズが成形された射出物のゲートカッティング装置は、フレーム１０１と、このフレーム１０１の一定の高さに平らに設けられたベース１０２と、このベース１０２の上に設けられたサポーター１０３と、前記ベース１０２の上に前後進スライディングできるように設置された下部カッティング装置２０と、この下部カッティング装置２０と上下に対向し、前記サポーター１０３に昇降できるように設置された上部カッティング装置４０と、前記フレーム１０１に設置されて、下部カッティング装置２０および上部カッティング装置４０を制御するコントローラー１０４を含めて構成される。
【００３８】
前記コントローラー１０４は、図４に示されているようにフレーム１０内にも設置することができ、ベース１０２の上部にも設置することができる。
【００３９】
そして、前記上部カッティング装置４０は、前記サポーター１０３に支持されて、上部ブロック１０６と、前記下部カッター２５と対向するように上部ブロック１０６の周縁の四方にそれぞれ固定設置されて、射出物１０のゲート１３を下部カッター２５と共にカッティングする上部カッター２６を含めて構成される。
【００４０】
また、本発明によるレンズが成形された射出物のゲートカッティング装置には、前記のように構成された上部カッティング装置４０が昇降するようにサポーター１０３に設けられた昇降装置を含めて構成される。
【００４１】
具体的には前記昇降装置は、前記サポーター１０３の上段部に設けられた第１ステッピングモータ１１４と、サポーター１０３と並んだ方向に昇降ブロック４２と連結されるように設置されて、前記第１ステッピングモータ１１４によって回転駆動されて、上部カッティング装置４０を昇降させる第１ボールスクリュー１１５と、この第１ボールスクリュー１１５の左右に、サポーター１０３に設置されて上部カッティング装置４０の昇降を案内する第１ＬＭガイド１１７とを含めて構成される。
【００４２】
このように構成された前記昇降装置は、サポーター１０３に昇降できるように設置された昇降ブロック４２と連動する。
【００４３】
前記第１ステッピングモータ１１４と第１ボールスクリュー１１５は、図３および図４に示されているようにカップリング（ｃｏｕｐｌｉｎｇ）１１６によって連結される。
【００４４】
そして、前記下部カッティング装置２０は、図５乃至図７に示されているようにベース１０２の上にスライディングできるように設置された下部ブロック２１と、この下部ブロック２１の上に設置されて図２に示されているように、四方に複数個のレンズ１４が一体成形された射出物１０が位置する作業ブロック１０５と、この作業ブロック１０５の周縁の四方にそれぞれ固定設置されて射出物１０のゲート１３をカッティングする下部カッター２５とを含めて構成される。
【００４５】
また、本発明によるレンズが成形された射出物のゲートカッティング装置は、前記のように構成された下部カッティング装置２０をベース１02の上でスライディングされるようにベース１０２に設けられたスライディング装置を含めて構成される。
【００４６】
具体的には前記スライディング装置は、 ベース１02と下部ブロック２１の間に設置されて下部カッティング装置２０のスライディング作動時、下部カッティング装置２０がスライディングされるように案内する第２ＬＭガイド１１２と、前記ベース１02の一側に設置されて前記第２ＬＭガイド１１２と共に前記下部カッティング装置２０をスライディング作動させる第２ボールスクリュー１１３ａと、この第２ボールスクリュー１１３ａを回転駆動させるためにベースの上に設けられた第２ステッピングモータ１１３とを含めて構成される。
【００４７】
そして、前記第１、２ＬＭガイド１１７、１１２は、長さの方向に沿って設けられる単一の線形運動ガイド部材１１７ａ、１１２ａと、この線形運動ガイド部材１１７ａ、１１２ａに沿って移動するようになるガイドブロック１１７ｂ、１１２ｂから構成される。
【００４８】
そして、図３乃至図６に示されているように、前記昇降装置と上部カッティング装置４０が連結されることにより、昇降装置によって上部カッティング装置４０が昇降するようにする連結部材４１が具備される。
【００４９】
前記連結部材４１は、上部カッティング装置４０の昇降ブロック４２を、第１ボールスクリュー１１５と第１ＬＭガイド１１７を連結する。
【００５０】
そして、前記下部カッター２５は、下部固定装置によって固定設置され、前記上部カッター２６は、上部固定装置によって固定装置される。
【００５１】
より具体的には、前記下部固定装置は、下部カッター２５の外部面を加圧支持する支持ブロック２４ａと、この支持ブロック２４ａと下部カッター２５の上段部を支持固定する固定ブロック２４ｂと、前記支持ブロック２４ａおよび固定ブロック２４ｂを締結する第１締結部材２４ｃとを含めて構成される。
【００５２】
同様に、前記上部固定装置は、上部カッター２６の内側面に受納して固定する内側ブロック２７と、この内側ブロック２７と共に上部カッター２６の外側面を支持固定する外側ブロック２８と、前記内側ブロック２７および外側ブロック２８を締結する第２締結部材２８ａとを含めて構成される。
【００５３】
前記のように構成された上部固定装置には上部カッター２６が下降して下部カッター２５と接触時、負荷を受けると緩衝されるように緩衝装置が設けられる。
【００５４】
具体的には、前記緩衝装置は、上部カッター２６が固定設置された上部固定装置の一側に上部固定装置と直交されるように設置されて、上部固定装置の内側ブロック２７を加圧するストッピングボルト３８と、このストッピングボルト３８に嵌合されて設けられたスプリング３１と、このスプリング３１を一定の空間内に設置されるようにして加圧すると同時に前記ストッピングボルト３８の前端部を支持して設けられたスプリングブロック３２とを含めて構成される。
【００５５】
図５および図６の図面符号３３は、前記のような緩衝装置のテンション中心点を示しているものである。
【００５６】
また、前記上部ブロック１０６には、上部カッター２６の位置を調整するためのカッター調整装置が設けられる。
【００５７】
このカッター調整装置は、上部ブロック１０６に設けられたガイドブロック１２１と、このガイドブロック１２１の両端に設けられた調整ボルト１２２と、この調整ボルト１２２に固定された固定ブロック１２３と、この固定ブロック１２３とガイドブロック１２１の間に設置されて、前記調整ボルト１２２の加圧により位置が調整されるカッターセッティングヒンジ部材１２４とを含めて構成される。
【００５８】
そして、前記下部ブロック２１の下部には、下部カッター２５の上下の高さを調節するための高さ調節装置が設けられる。この高さ調節装置は、下部ブロック２１と下部固定装置の間にそれぞれ設けられたボルト２２ａおよびナット２２ｂから構成される。
【００５９】
また、前記上部カッター２６と下部カッター２５は、強度および硬度が優れた超硬合金などから構成されることが望ましい。
【００６０】
前記下部カッター２５は、作業ブロック１０５の四方に４つが設置され、前記上部カッター２６は、上部ブロック１０６の四方に４つが設置されて射出物１０のレンズ１４が四方に成形されたものを、一度に全てカッティングできるように下部カッター２５および上部カッター２６が作動されるように設けられる。
【００６１】
また、図８および図９に示されているように、前記下部カッター２５の一側は、上部カッター２６に対応する刃部が形成され、前記下部カッター２５の他側は、作業ブロック１０５に装着されるようにする装着部２５ｃから構成される。
【００６２】
この時、前記刃部は、一定の深さで引入されるように形成されて上部カッター２６と共に射出物１０のゲート１３をカッティングするカッティング部２５ａと、このカッティング部２５ａの中央と周縁にカッティング部２５ａより高く突出し、外側の周縁はラウンド（Ｒ）で形成されて上部カッター２６が下部カッター２５と接触時、滑りながら下降されるラウンド部２５ｂから構成される。
【００６３】
前記のような構成を有する本発明によるレンズが成形された射出物のゲートカッティング装置の作用を説明する。
【００６４】
図面を再び参照してみれば、本発明によるレンズが成形された射出物のゲートカッティング装置は、まず、射出物１０からレンズ１４を分離するためのゲートカッティング作業が行われるように、図７に示されているように、下部カッティング装置２０の作業ブロック１０５の上に射出物１０を置く。
【００６５】
この射出物１０が置かれる過程は図面には示していなかったが、射出物１０を射出機から取り出す取出機（図示せず）が射出物１０を取り出した後、射出機から取り出した射出物１０を取出機が作業ブロック１０５に置く。
【００６６】
このように射出物１０が作業ブロック１０５の上に置かれるようにするため、スライディング装置によって下部カッティング装置２０が移送して、上部カッティング装置４０の下部位置から外れて前記取出機の前方へ移送する。
【００６７】
前記取出機によって、作業ブロック１０５に射出物１０が置かれると、下部カッティング装置２０は、上部カッター２６および下部カッター２５が上下に並んでなるべく再び上部カッティング装置４０の下部へ移送する。
【００６８】
そして、上部カッター２６および下部カッター２５が上下に並んで位置されると、前記上部カッティング装置４０が下部カッティング装置２０の方に下降する。
【００６９】
このような連続的な下部カッティング装置２０および上部カッティング装置４０の作動は、コントローラー１０４の制御によって行われる。
【００７０】
また、前記上部カッティング装置４０の下降は、昇降装置の第１ステッピングモータ１１４が駆動されることによって、ねじが形成された第１ボールスクリュー１１５が回転されると、第１ＬＭガイド１１７に沿って下降する。このような作動は、下部カッティング装置２０が移送されるようにするスライディング装置の作動原理と同一である。
【００７１】
次に、前記上部カッティング装置４０が下降することにより、上部カッター２６と下部カッター２５によって前記射出物１０のゲート１３はカッティングされる。
【００７２】
この時、上部カッター２６と下部カッター２５とが正確にセッティングされなくても、またはこれによる負荷を受けても、図８および図９に示されているように前記下部カッター２５には、角部にラウンド（Ｒ）が形成されたラウンド部２５ｂと、ゲート１３をカッティングするためのカッティング部２５ａが一定の間隔で順次に形成されているので、上部カッター２６および下部カッター２５の位置セッティングが正確に行われない場合にも、前記ラウンド部２５ｂに上部カッター２６が滑りながら、ゲート１３をカッティングする。
【００７３】
そのために従来のように図１のゲート２をカッティングするカッターのセッティングが正確にならなかったり、カッティング中に負荷を受けてゲート２がカッティングされなかったり、ゲート２のカッティング位置が変わったりするなどの問題点は発生しない。
【００７４】
そして、本発明によるレンズが成形された射出物のゲートカッティング装置には、上述したように緩衝装置が備えられていて、ゲート１３カッティング時、上部カッター２６が大きい負荷を受けてもこれらのカッターが滑る作動が可能である。
【００７５】
それだけでなく、上部カッター２６の反復的なカッティング作業により上部カッター２６が反復的な負荷を受けても、前記緩衝装置によって上部カッター２６が本来のセッティング位置に復元される。
【００７６】
仮に作業時、前記上部カッター２６のセッティング位置が外れた場合にも、本発明によるレンズが成形された射出物のゲートカッティング装置には、上部カッター２６の位置を調整するためのカッター調整装置が設置されているので簡単に上部カッター２６の位置調整が可能である。つまり、前記上部ブロック１０６に設けられたガイドブロック１２１の両端の調整ボルト１２２を調整すれば、カッターセッティングヒンジ部材１２４が調整されて結局、下部カッター２５の位置が調整される。
【００７７】
また、従来のレンズが成形された射出物のゲートカッティング装置は、作業の速度を調節することができないが、本発明には、昇降手段として第１ステッピングモータ１１４と第１ボールスクリュー１１５、そして、装置を制御するコントローラー１０４が備えられているので作業のための装置の移送時、高速移送が可能であり、射出物１０の素材により作業速度も制御することができる。
【００７８】
そして、前記下部カッティング装置２０には、下部カッター２５の上下の高さを調節するための高さ調節装置としてボルト２２ａおよびナット２２ｂが備えられているので、このボルト２２ａを上下に昇降調整することによって、下部カッター２５を固定する下部固定装置が上下に昇降して、結局、下部カッター２５の高さが調整される。従って下部カッター２５のセッティングも容易に実施できる。
【００７９】
また、本発明によるレンズが成形された射出物のゲートカッティング装置の上部カッター２６および下部カッター２５は、四方に４つのカッター２５、２６が設置されているので、射出物１０の形態に関係なしに全て適用することができる。つまり、図１および図２の射出物１、１０を全て適用することができる。
【００８０】
そして、前記上部カッター２６および下部カッター２５によってゲート１３のカッティングが完了されると、スライディング装置によって、下部カッティング装置２０がベース１０２の前方にスライディングして前進する。このように前記下部カッティング装置２０の前進が完了されると、射出物１０から分離されたレンズ１４を、ベース１０２の一側に設けられたレンズ移送装置によってレンズ１４が吸着装置（図示せず）に吸着される。このように吸着されたレンズは、移送装置（図示せず）によって移送されてレンズ用トレイ(図示せず）に受納される。これらの吸着装置および移送装置、そして、トレイは、本発明によるレンズが成形された射出物のゲートカッティング装置の周縁に設けられる。
【符号の説明】
【００８１】
１０  射出物
１３  ゲート
１４  レンズ
２０  下部カッティング装置
２１  下部ブロック
２２ａ  ボルト
２２ｂ  ナット
２４ａ  支持ブロック
２４ｂ  固定ブロック
２５  下部カッター
２５ａ  カッティング部
２５ｂ  ラウンド部
２５ｃ  装着部
２６  上部カッター
２７  内側ブロック
２８  外側ブロック
２８ａ  第２締結部材
３１  スプリング
３２  スプリングブロック
３８  ストッピングボルト
４０  上部カッティング装置
４１  連結部材
４２  昇降ブロック
１０１  フレーム
１０２  ベース
１０３  サポーター
１０４  コントローラー
１０５  作業ブロック
１０６  上部ブロック
１１２  第２ＬＭガイド
１１２ａ  線形運動ガイド部材
１１３  第２ステッピングモータ
１１３ａ  第２ボールスクリュー
１１４  第１ステッピングモータ
１１５  第１ボールスクリュー
１１６  カップリング
１１７  第１ＬＭガイド
１１７ａ  線形運動ガイド部材
１２１  ガイドブロック
１２２  調整ボルト
１２３  固定ブロック
１２４  カッターセッティングヒンジ部材
【図１】
2011156768.tif 000003
【図２】
2011156768.tif 000004
【図３】
2011156768.tif 000005
【図４】
2011156768.tif 000006
【図５】
2011156768.tif 000007
【図６】
2011156768.tif 000008
【図７】
2011156768.tif 000009
【図８】
2011156768.tif 000010
【図９】
2011156768.tif 000011